(57)【特許請求の範囲】
【請求項１】
上下に対向する複数のシートの間に、上下に対向する前記シートよりも幅寸法が小さい２枚の中空部形成シートが介在し、第１の中空部形成シートの外面と一方のシートの内面が第１の接合層を介して接合され、第２の中空部形成シートの外面と他方のシートの内面が第２の接合層を介して接合され、第１と第２の中空部形成シートから側方の接合領域において、前記シートどうしが、第２の接合層を介して接合されており、２枚の中空部形成シートの対向部に中空部が形成されていることを特徴とする中空体。
【請求項２】
第１の中空部形成シートの幅寸法よりも第２の中空部形成シートの幅寸法が大きく、第１の中空部形成シートの両側縁から外れた第１の接合領域で、第２の中空部形成シートの内面と一方のシートの内面が第１の接合層を介して接合され、第２の中空部形成シートの両側縁から外れた第２の接合領域で、前記シートどうしが第２の接合層を介して接合されている請求項１記載の中空体。
【請求項３】
前記一方のシートの外側に第１のシートが接合され、前記他方のシートの外側に第２のシートが接合されている請求項１または２記載の中空体。
【請求項４】
第１のシートと第２のシートが、前記一方のシートと前記他方のシートの両側縁からはずれた領域で互いに接合されている請求項３記載の中空体。
【請求項５】
第１の中空部形成シートと第２の中空部形成シートが同じ幅寸法である請求項１記載の中空体。
【請求項６】
中空部形成シートの内面に接合層が設けられ、中空部の開放側の端部が前記接合層で閉鎖可能とされている請求項１ないし５のいずれかに記載の中空体。
【請求項７】
複数組の前記中空部形成シートが幅方向に間隔を空けて位置し、複数の前記中空部が幅方向に間隔を空けて形成されている請求項１ないし６のいずれかに記載の中空体。
【請求項８】
以下の工程を有することを特徴とする中空体の製造方法。
（ａ）一方のシートの内面に、前記一方のシートよりも幅寸法が小さい第１の中空部形成シートと第２の中空部形成シートとを重ねて設置し、第１の接合層を介して第１の中空部形成シートの外面と前記一方のシートの内面を接合する工程と、
（ｂ）第２の中空部形成シートの外面、および第２の中空部形成シートの両側縁から側方へ出ている前記一方のシートの内面に、第２の接合層を形成する工程と、
（ｃ）第２の接合層の上に他のシートを重ね、第２の中空部形成シートの外面と前記他のシートの内面を第２の接合層を介して接合するとともに、第２の中空部形成シートの両側縁よりも外側の接合領域で、前記シートと前記他のシートを第２の接合層を介して接合して、２つの前記中空部形成シートの間に中空部を形成する工程。
【請求項９】
第１の中空部形成シートの幅寸法よりも第２の中空部形成シートの幅寸法が大きく、
前記（ａ）の工程において、前記第１の接合層を介して第１の中空部形成シートの外面と前記一方のシートの内面を接合するとともに、第１の中空部形成シートの両側縁からはずれた第１の接合領域で、第２の中空部形成シートの内面と前記一方のシートの内面を第１の接合層を介して接合し、
前記（ｃ）の工程において、第２の中空部形成シートの外面と前記他のシートを第２の接合層を介して接合するとともに、第２の中空部形成シートの両側縁よりも外側の第２の接合領域で、前記シートと前記他のシートの内面どうしを第２の接合層を介して接合する請求項８記載の中空体の製造方法。
【請求項１０】
前記一方のシートの外側に第１のシートを接合し、前記他方のシートの外側に第２のシートを接合する工程を有する請求項８または９記載の中空体の製造方法。
【請求項１１】
第１のシートと第２のシートを、前記一方のシートと前記他方のシートの両側縁からはずれた領域で互いに接合する工程を有する請求項１０記載の中空体の製造方法。
【請求項１２】
第１の中空部形成シートと第２の中空部形成シートの幅寸法が同一である請求項８記載の中空体の製造方法。
【請求項１３】
複数組の前記中空部形成シートを幅方向に間隔を空けて位置させ、複数の前記中空部を幅方向に間隔を空けて形成する請求項８ないし１２のいずれかに記載の中空体の製造方法。
【発明の詳細な説明】
【技術分野】
【０００１】
本発明は中空体およびその製造方法に係り、特に容易に製造することが可能な中空体およびその製造方法に関する。
【背景技術】
【０００２】
従来から、流体を流すための中空体や、袋体を製造するための材料として使用される中空体はインフレーション法によって製造されている。しかし、インフレーション法では、樹脂の内部にエアを吹き込んで膨らますなどの方法によって行われるため、設備が大きくなるため、いわゆるＴダイ押し出し法やドライラミネート法などの方法によってシート体を形成し、複数のシート体を上下方向で重ね、上下方向に対向するそれぞれのシート体の両側端部を接合することによって中空体を製造することができる。
【０００３】
一方、前記Ｔダイ押し出し法によって製造されたシート体は、そのままで種々の用途に使用されている。
Ｔダイ押出し法に関する思想は、例えば以下に示す特許文献１に開示されている。
【特許文献１】
特開２０００−３２６３９１号公報
【発明の開示】
【発明が解決しようとする課題】
【０００４】
前記Ｔダイによって得られたシート体を重ねた状態で、それぞれの両側端部を接合して中空体を製造する場合には、上下方向に対向する両シート体の両側端部のみを接合する必要があるが、この際に接合部は溶融押し出しラミネート法や接着剤を用いた接着法や熱溶着法などの方法によって行われる。
【０００５】
しかし、前記両シートの両側端部のみをラミネート材や接着剤で接合する場合には、ラミネート材や接着剤をシート体の側端部という狭い範囲にラミネート材や接着剤を塗布しなければならないため、製造の際の精度管理が必要となり、その分製造を容易に行うことができない。
【０００６】
また、前記Ｔダイによって製造されたシート体の幅寸法は、前記Ｔダイの幅寸法に依存する。したがって、幅寸法が大きなシート体を製造するためには、製造されるシート体の幅寸法と同程度の大きなＴダイが必要となるため、製造コストの高騰や、製造スペースの確保が困難になる。
【０００７】
本発明は前記従来の課題を解決するためのものであり、容易に製造することが可能な中空体およびその製造方法を提供することを目的としている。
【課題を解決するための手段】
【０００８】
本発明の中空体は、上下に対向する複数のシートの間に、上下に対向する前記シートよりも幅寸法が小さい２枚の中空部形成シートが介在し、第１の中空部形成シートの外面と一方のシートの内面が第１の接合層を介して接合され、第２の中空部形成シートの外面と他方のシートの内面が第２の接合層を介して接合され、第１と第２の中空部形成シートから側方の接合領域において、前記シートどうしが、第２の接合層を介して接合されており、２枚の中空部形成シートの対向部に中空部が形成されていることを特徴とするものである。
【０００９】
この場合、第１の中空部形成シートの幅寸法よりも第２の中空部形成シートの幅寸法が大きく、第１の中空部形成シートの両側縁から外れた第１の接合領域で、第２の中空部形成シートの内面と一方のシートの内面が第１の接合層を介して接合され、第２の中空部形成シートの両側縁から外れた第２の接合領域で、前記シートどうしが第２の接合層を介して接合されているものとして構成できる。
【００１０】
また、前記一方のシートの外側に第１のシートが接合され、前記他方のシートの外側に第２のシートが接合されているものとして構成できる。
【００１１】
また、第１のシートと第２のシートが、前記一方のシートと前記他方のシートの両側縁からはずれた領域で互いに接合されているものとして構成できる。
【００１２】
また、第１の中空部形成シートと第２の中空部形成シートが同じ幅寸法であるものとして構成できる。
【００１３】
また、中空部形成シートの内面に接合層が設けられ、中空部の開放側の端部が前記接合層で閉鎖可能とされているものとして構成できる。
【００１４】
また、複数組の前記中空部形成シートが幅方向に間隔を空けて位置し、複数の前記中空部が幅方向に間隔を空けて形成されているものとして構成できる。
【００１５】
本発明の中空体の製造方法は、以下の工程を有することを特徴とするものである。
（ａ）一方のシートの内面に、前記一方のシートよりも幅寸法が小さい第１の中空部形成シートと第２の中空部形成シートとを重ねて設置し、第１の接合層を介して第１の中空部形成シートの外面と前記一方のシートの内面を接合する工程と、
（ｂ）第２の中空部形成シートの外面、および第２の中空部形成シートの両側縁から側方へ出ている前記一方のシートの内面に、第２の接合層を形成する工程と、
（ｃ）第２の接合層の上に他のシートを重ね、第２の中空部形成シートの外面と前記他のシートの内面を第２の接合層を介して接合するとともに、第２の中空部形成シートの両側縁よりも外側の接合領域で、前記シートと前記他のシートを第２の接合層を介して接合して、２つの前記中空部形成シートの間に中空部を形成する工程。
【００１６】
この場合、第１の中空部形成シートの幅寸法よりも第２の中空部形成シートの幅寸法が大きく、
前記（ａ）の工程において、前記第１の接合層を介して第１の中空部形成シートの外面と前記一方のシートの内面を接合するとともに、第１の中空部形成シートの両側縁からはずれた第１の接合領域で、第２の中空部形成シートの内面と前記一方のシートの内面を第１の接合層を介して接合し、
前記（ｃ）の工程において、第２の中空部形成シートの外面と前記他のシートを第２の接合層を介して接合するとともに、第２の中空部形成シートの両側縁よりも外側の第２の接合領域で、前記シートと前記他のシートの内面どうしを第２の接合層を介して接合するものとして構成できる。
【００１７】
また、前記一方のシートの外側に第１のシートを接合し、前記他方のシートの外側に第２のシートを接合する工程を有するものとして構成できる。
【００１８】
また、第１のシートと第２のシートを、前記一方のシートと前記他方のシートの両側縁からはずれた領域で互いに接合する工程を有するものとして構成できる。
【００１９】
また、第１の中空部形成シートと第２の中空部形成シートの幅寸法が同一であるものとして構成できる。
【００２０】
また、複数組の前記中空部形成シートを幅方向に間隔を空けて位置させ、複数の前記中空部を幅方向に間隔を空けて形成するものとして構成できる。
【発明の効果】
【００２１】
本発明の中空体では、複数のシートを重ねて接合層によって、各シートを互いに接合すれば良いので、中空体を容易に形成することができる。また、シビアな精度管理を行わなくても中空体を製造することができるため、全体として容易に製造を行うことができる。
【発明を実施するための最良の形態】
【００２２】
図１は本発明の中空体の第１実施形態を示す斜視図、図２は図１に示す中空体をＩＩ−ＩＩ線で切断した切断断面を模式的に示す断面図である。
【００２３】
図１に示すように、前記中空体１は、図示Ｘ１−Ｘ２方向に所定の間隔を有する幅寸法を有し、図示Ｙ１−Ｙ２方向に向かって連続して延びて形成されている。前記中空体１では、図示Ｙ１−Ｙ２方向が長手方向となり、図示Ｘ１−Ｘ２方向が幅方向となる。
【００２４】
図１に示すように中空体１は、中空部２と接合部３ａ、３ｂとを有して構成されている。
【００２５】
前記中空部２は、前記中空体１の長手方向に向かって延びており、前端２ａが開口部４ａを有する開放端として形成されている。また、前記中空部２は、後端２ｂが開口部４ｂを有する開放端として形成されている。
【００２６】
前記接合部３ａおよび３ｂは、それぞれ前記中空部２の両側方に形成されており、所定の幅寸法を有して前記長手方向に延びて形成されている。
【００２７】
図２に示すように、前記中空体１は、図示上方側（図示Ｚ１方向側）の外側に位置する第１のシート５と、この第１のシート５の下方側（図示Ｚ２方向側）の外側に位置する第２のシート６、および前記第１のシート５と前記第２のシート６の間に介装された２枚の中空部形成シート７および８を有している。図２に示すように、２枚の前記中空部形成シート７および８は、互いに上下方向で対向配置する位置関係で形成されている。図２に示す実施形態では、前記中空部形成シート７が前記第１のシート５側に位置するとともに、前記中空部形成シート８が前記第２のシート６側に位置するように対向配置されている。
【００２８】
図２に示す実施形態では、前記第１のシート５と前記中空部形成シート７との間に中間シート９が形成されている。同様に、前記第２のシート６と前記中空部形成シート８との間にも中間シート１０が形成されており、図２に示す前記中空体１は、合計６層のシート体が積層された構造として形成されている。
【００２９】
図２に示すように、前記中空体１には、前記中空部形成シート７と８との間に前記中空部２が形成されている。
【００３０】
図２に示すように、前記中空部形成シート８の幅寸法Ｗ２は、前記中空部形成シート７の幅寸法Ｗ１よりも大きい寸法で形成されている。
【００３１】
また前記中間シート９の幅寸法Ｗ３は、前記中空部形成シート８の前記幅寸法Ｗ２よりも大きく形成されている。また、前記中間シーと１０の幅寸法Ｗ４は、前記中間シート９の前記幅寸法Ｗ３よりも大きく形成されている。
【００３２】
図２に示すように、前記中空部形成シート７の前記幅寸法Ｗ１と、前記中空部形成シート８の前記幅寸法Ｗ２と、前記中間シート９の前記幅寸法Ｗ３と、前記中間シート１０の前記幅寸法Ｗ４との関係は、Ｗ１＜Ｗ２＜Ｗ３＜Ｗ４となるように構成されている。
【００３３】
図２に示すように、前記中空部形成シート７の下方側に前記中空部形成シート８が位置し、前記中空部形成シート８の上方側に前記中空部形成シート７を挟んで前記中間シート９が位置し、前記中間シート９の下方側で前記中空部形成シート７と前記中空部形成シート８を挟んで前記中間シート１０が形成されている。したがって、前記中空部形成シート７と前記中空部形成シート８と前記中間シート９と前記中間シート１０について、それぞれの前記幅寸法Ｗ１ないしＷ４を大き方から順に並べてみると、上下方向（図示Ｚ１−Ｚ２方向）で互い違いに重なるように、互いの形成位置が構成されている。
【００３４】
図２に示すように、前記中空部形成シート７は、下面７ｂが前記中空部形成シート８の上面８ａに対向するように、前記中空部形成シート８の上に重なるように配置されている。前記中空部形成シート８の前記上面８ａには、前記中空部形成シート７の側方から前記中空部形成シート７の上面７ａにかけて、第１接合層１１が形成されている。図２に示すように、前記第１接合層１１は、前記中空部形成シート８の前記上面８ａのうち、前記中空部形成シート７と重なる領域８ａ１には形成されていない。したがって、前記領域８ａ１では、前記両中空部形成シート７と８とが接合されておらず、前記中空部形成シート７と前記中空部形成シート８との間に前記中空部２が形成される。すなわち、図２に示すように、前記中空部２は、前記中空部形成シート７と前記中間シート１０との間、および前記中空部形成シート８と前記中間シート９との間に位置するように形成されている。
【００３５】
図２に示すように、前記第１接合層１１は、前記中間シート９の下面９ｂに接している。したがって、前記中空部形成シート７と前記中間シート９とが前記第１接合層１１を介して接合されるとともに、前記中空部形成シート８と前記中間シート９とが前記第１接合層１１を介して接合されている。図２に示す実施形態では、前記第１接合層１１は前記中空部形成シート８の前記幅寸法Ｗ２と同じ幅寸法で形成されている。前記したように、前記中空部形成シート８の前記幅寸法Ｗ２は、前記中間シート９の前記幅寸法Ｗ３よりも小さく形成されている。したがって、前記第１接合層１１は前記中間シート９の下面９ｂの側方部には対向していない。
【００３６】
図２に示すように、前記中間シート９の下面９ｂには、前記第１接合層１１の側方から前記中空部形成シート８の側方、および前記中空部形成シート８の下面８ｂにかけて、第２接合層１２が形成されている。また前記第２接合層１２は、前記中間シート１０の上面１０ａに接するように形成されている。したがって、前記中空部形成シート８と前記中間シート１０が前記第２接合層１２を介して接合されるとともに、前記中間シート９と前記中間シート１０とが前記第２接合層１２を介して接合されている。図２に示すように、前記第２接合層１２を介して前記中間シート９と前記中間シート１０とが接合されている部分には、接合領域２２が形成されている。図２に示す実施形態では、前記第２接合層１２は前記中間シート９の前記幅寸法Ｗ３と同じに形成されている。前記したように、前記中間シート９の前記幅寸法Ｗ３は、前記中間シート１０の前記幅寸法Ｗ４よりも小さく形成されている。したがって、前記第２接合層１２は前記中間シート１０の前記上面１０ａの側方部には対向していない。
【００３７】
図２に示すように、前記中間シート１０の前記上面１０ａには、前記第２接合層１２の側方から前記中間シート９の側方、および前記中間シート９の上面９ａにかけて第３接合層１３が形成されている。また前記第３接合層１３は、前記第１のシート５の下面５ｂに接するように形成されている。したがって、前記中間シート９と前記前記第１のシート５が前記第３接合層１３を介して接合されるとともに、前記中間シート１０と前記第１のシート５とが前記第３接合層１３を介して接合されている。図２に示すように、前記第３接合層１３を介して前記中間シート１０と前記第１のシート５とが接合されている部分には、接合領域２３が形成されている。図２に示す実施形態では、前記第３接合層１３の幅寸法は、前記中間シート１０の前記幅寸法Ｗ４と同じに形成されている。図２に示すように、前記中間シート１０の前記幅寸法Ｗ４は、前記第１のシート５の幅寸法Ｗ５よりも小さく形成されている。したがって、前記第３接合層１３は前記第１のシート５の前記下面ｂの側方部には対向していない。
【００３８】
図２に示すように、前記第１のシート５の下面５ｂには、前記第３接合層１３の側方から前記中間シート１０の側方、および前記中間シート１０の下面１０ｂにかけて第４接合層１４が形成されている。また前記第４接合層１４は、前記第２のシート６の上面６ａに接するように形成されている。したがって、前記中間シート１０と前記第２のシート６とが前記第４接合層１４を介して接合されるとともに、前記第１のシート５と前記第２のシート６とが前記第４接合層１４を介して接合されている。図２に示すように、前記第４接合層１４を介して前記第１のシート５と前記第２のシート６とが接合されている部分には、接合領域２４が形成されている。図２に示す実施形態では、前記第４接合層１４の幅寸法は、前記第２のシート６の幅寸法Ｗ６と同じに形成されている。図２に示すように、前記第２のシート６の前記幅寸法Ｗ６は、前記第１のシート５の前記幅寸法Ｗ５と同じに形成されている。したがって、前記第４接合層１４は前記第１のシート５の側方部と対向しており、前記第１のシート５の前記下面５ｂの側方部と、前記第２のシート６の前記上面６ａの側方部とが、前記第４接合層１４を介して接合されている。
【００３９】
図２に示す前記接合領域２１、２２、２３、２４が、図１に示す前記接合部３ａ、３ｂを構成している。
【００４０】
図２に示す前記中空体１では、前記中空部形成シート７、前記中空部形成シート８、前記中間シート９、前記中間シート１０、前記第１のシート５、前記第２のシート６を重ねて、前記第１接合層１１、前記第２接合層１２、前記第３接合層１３、前記第４接合層１４によって、前記したように各シート５、６、７、８、９、１０を互いに接合すれば良いので、中空体１を容易に形成することができる。従来では、例えば樹脂材料などをインフレーション法などの方法によって中空体を形成していたが、前記インフレーション法では樹脂の内部にエアを吹き込んで膨らますなどの方法によって行われるため、設備が大きくなる。しかし前記中空体１は後記するようにＴダイ押し出し法によって製造することができるため、大きな設備やスペースを必要としないで製造することが可能となる。
【００４１】
また、後記する製造方法で説明するように、前記中空体１では、シビアな精度管理を行わなくても前記中空体１を製造することができるため、全体として容易に製造を行うことができる。
【００４２】
また図２に示す前記中空体１では、前記中空部形成シート８の前記幅寸法Ｗ２の方が、前記中空部形成シート７の前記幅寸法Ｗ１よりも大きく形成されている。また、前記中間シート９の前記幅寸法Ｗ３の方が、前記中空部形成シート８の前記幅寸法Ｗ２よりも大きく形成されている。また、前記中間シート９の前記幅寸法Ｗ３よりも、前記中間シート１０の前記幅寸法Ｗ４の方が大きく形成されている。また、前記第１のシートの前記幅寸法Ｗ５および前記第２のシート６の前記幅寸法Ｗ６は共に、前記中間シート１０の前記幅寸法Ｗ４よりも大きく形成されている。そして前記したように、前記中空部形成シート７と前記中空部形成シート８と前記中間シート９と前記中間シート１０について、それぞれの前記幅寸法Ｗ１ないしＷ４を大き方から順に並べてみると、上下方向（図示Ｚ１−Ｚ２方向）で互い違いに重なるように、互いの形成位置が構成されている。
【００４３】
前記中空体１では、前記中空部２の側方に、前記第１接合層１１を介して前記中空部形成シート８と前記中間シート９とが接合された前記接合領域２１が形成されている。また、前記接合領域２１の外側に、前記第２接合層１２を介して前記中間シート９と前記中間シート１０とが接合された接合領域２２が形成されている。また、前記接合領域２２の外側に、前記第３接合層１３を介して前記中間シート１０と前記第１のシートとが接合された接合領域２３が形成されている。さらに、前記接合領域２３の外側に、前記第４接合層を介して前記第１のシート５と前記第２のシート６とが接合された接合領域２４が形成されている。
【００４４】
このように、前記中空体１では、前記中空部２の側方に複数の接合領域２１、２２、２３、２４が形成されているため、前記中空部２の強度を大きく向上させることが可能となる。
【００４５】
ここで、前記第１のシート５および前記第２のシート６は、例えば紐状あるいは細いシート状のポリエチレン（ＰＥ）材料を織ったＰＥ織布や、ＰＥ織布の表面にポリプロピレン（ＰＰ）を被覆したもの、またはＰＥフィルム、または紐状あるいは細いシート状のポリプロピレン（ＰＰ）材料を織ったＰＰ織布やＰＰフィルム（一軸延伸フィルムあるいは二軸延伸フィルムのどちらも使用できる）、またはアルミ箔や銅箔などの金属箔、またはポリエステル（ＰＥＴ）フィルム、またはＰＰやＰＥＴからなる基材の表面にアルミ蒸着や銅蒸着を施したもの、またはＰＰ不織布やＰＥ不織布やＰＥＴ不織布やナイロン不織布、あるいは紙材などによって形成することができる。
【００４６】
また前記中間シート９および１０は、例えば紐状あるいは細いシート状のポリエチレン（ＰＥ）材料を織ったＰＥ織布や、ＰＥ織布の表面にポリプロピレン（ＰＰ）を被覆したもの、またはＰＥフィルム、または紐状あるいは細いシート状のポリプロピレン（ＰＰ）材料を織ったＰＰ織布やＰＰフィルム（一軸延伸フィルムあるいは二軸延伸フィルムのどちらも使用できる）、またはＰＰ不織布やＰＥ不織布やＰＥＴ不織布やナイロン不織布、あるいは紙材などによって形成することができる。
【００４７】
また前記中空部形成シート７および８は、例えば低密度ＰＥで構成することができる。この場合、例えば、防錆包装材として前記中空体１を使用する場合には、前記中空部形成シート７および８に防錆剤を混合するなど、用途に応じて添加剤を混合することもできる。
【００４８】
また前記第１接合層１１、前記第２接合層１２、前記第３接合層１３および前記第４接合層１４は、例えば比較的溶融温度の低い低密度ＰＥ（ＬＤＰＥ）で構成すると、接合層として優れた機能を発揮できるため好ましい。
【００４９】
図３は、本発明の第２実施形態の中空体を幅方向に切断した切断断面（図１に示すＩＩ−ＩＩ線での切断断面に相等）を模式的に示す断面図であり、図２に相等する図である。図３に示す中空体１０１の斜視図は図１と同様となるため省略する。
【００５０】
図３に示す前記中空体１０１は、図１および図２に示す前記中空体１と同じ構成要素を有して構成されている。したがって、図３に示す前記中空体１０１の構成要素のうち、図１および図２に示す前記中空体１と同じ構成要素には、前記中空体１と同じ符号を付して、その詳しい説明を省略する。
【００５１】
図３に示す中空体１０１が、図２に示す前記中空体１と異なるのは、図３に示すように前記中間シート９の幅寸法Ｗ３と前記中間シート１０の前記幅寸法Ｗ４とが同じ大きさで形成されている点である。図３に示すように、前記中間シート９の下面９ｂには、前記第１接合層１１の側方から前記中空部形成シート８の側方、および前記中空部形成シート８の下面８ｂにかけて、第２接合層１２が形成されている。また前記第２接合層１２は、前記中間シート１０の上面１０ａに接するように形成されている。したがって、前記中空部形成シート８と前記中間シート１０が前記第２接合層１２を介して接合されるとともに、前記中間シート９と前記中間シート１０とが前記第２接合層１２を介して接合されている。図２に示すように、前記第２接合層１２を介して前記中間シート９と前記中間シート１０とが接合されている部分には、接合領域２２が形成されている。
【００５２】
また図３に示すように、前記第１のシート５の下面５ｂには、前記第２接合層１２の側方から前記中間シート９の側方と前記中間シート１０の側方、および前記中間シート１０の下面１０ｂにかけて第４接合層１４が形成されている。また前記第４接合層１４は、前記第２のシート６の上面６ａに接するように形成されている。したがって、前記中間シート１０と前記第２のシート６とが前記第４接合層１４を介して接合されるとともに、前記第１のシート５と前記第２のシート６とが前記第４接合層１４を介して接合されている。図２に示すように、前記第４接合層１４を介して前記第１のシート５と前記第２のシート６とが接合されている部分には、接合領域２４が形成されている。また、前記中間シート９と前記第１のシート５の間には第５接合層１５が形成されており、この第５接合層１５を介して前記中間シート９と前記第１のシート５とが接合されている。
【００５３】
図３に示す前記接合領域２１、２２、２４が、図１に示す前記接合部３ａ、３ｂを構成している。
【００５４】
図３に示す中空体１０１でも、大きな設備やスペースを必要としないで製造することが可能となるとともに、シビアな精度管理を行わなくても前記中空体１０１を製造することができるため、全体として容易に製造を行うことができる。
【００５５】
また、前記中空体１０１では、前記中空部２の側方に複数の接合領域２１、２２、２４が形成されているため、前記中空部２の強度を大きく向上させることが可能となる。
【００５６】
なお、前記第５接合層１５は、例えば比較的溶融温度の低い低密度ＰＥ（ＬＤＰＥ）で構成すると、接合層として優れた機能を発揮できるため好ましい。
【００５７】
図４は、本発明の第３実施形態の中空体を幅方向に切断した切断断面（図１に示すＩＩ−ＩＩ線での切断断面に相等）を模式的に示す断面図であり、図２に相等する図である。図４に示す中空体２０１の斜視図は図１と同様となるため省略する。
【００５８】
図４に示す前記中空体２０１は、図１および図２に示す前記中空体１と同じ構成要素を有して構成されている。したがって、図４に示す前記中空体２０１の構成要素のうち、図１および図２に示す前記中空体１と同じ構成要素には、前記中空体１と同じ符号を付して、その詳しい説明を省略する。
【００５９】
図４に示すように、前記中空体２０１は、図示上方側（図示Ｚ１方向側）の外側に位置する第１のシート５と、この第１のシート５の下方側（図示Ｚ２方向側）の外側に位置する第２のシート６、および前記第１のシート５と前記第２のシート６の間に介装された２枚の中空部形成シート２０７および２０８を有している。図４に示すように、２枚の前記中空部形成シート２０７および２０８は、互いに上下方向で対向配置する位置関係で形成されている。図４に示す実施形態では、前記中空部形成シート２０７が前記第１のシート５側に位置するとともに、前記中空部形成シート２０８が前記第２のシート６側に位置するように対向配置されている。
【００６０】
図４に示す前記中空体２０１では、図２に示す前記中空体１と異なり、前記第１のシート５と前記中空部形成シート７との間に中間シート９が形成されておらず、また前記第２のシート６と前記中空部形成シート８との間にも中間シート１０が形成されていない。したがって、図４に示す前記中空体２０１は、合計４層のシート体が積層された構造として形成されている。
【００６１】
図４に示すように、前記中空体２０１には、前記中空部形成シート２０７と２０８との間に中空部２が形成されている。すなわち図４に示すように、前記中空部２は、前記中空部形成シート２０７と前記第２のシート６との間、および前記中空部形成シート２０８と前記第１のシート５との間に位置するように形成されている。
【００６２】
図４に示すように、前記中空体２０１では、図２に示す前記中空体１と異なり、前記中空部形成シート２０７の幅寸法Ｗ７と前記中空部形成シート２０８の幅寸法Ｗ８とが同じ幅寸法で形成されている。
【００６３】
また前記第１のシートの前記幅寸法Ｗ５と前記第２のシート６の前記幅寸法Ｗ２も同じ幅寸法で形成されている。そして、前記中空部形成シート２０７の前記幅寸法Ｗ７および前記中空部形成シート２０８の前記幅寸法Ｗ８よりも、前記第１のシート５の前記幅寸法Ｗ５および前記第２のシート６の前記幅寸法Ｗ６の方が大きく形成されている。
【００６４】
図４に示す実施形態では、前記中空部形成シート２０７は基材層２０７ａと接合層２０７ｂの２層構造で形成されている。また前記中空部形成シート２０８も基材層２０８ａと接合層２０８ｂとの２層構造で形成されている。そして、前記接合層２０７ｂと２０８ｂとが互いに対向している。
【００６５】
前記中空部形成シート２０７と前記第１のシート５の間には第６接合層３０が形成されており、この第６接合層３０の中央領域を介して前記中空部形成シート７と前記第１のシート５とが接合されている。
【００６６】
図４に示すように、前記第６接合層３０の下面３０ｂには、前記中空部形成シート２０７の側方から前記中空部形成シート２０８の側方、および前記中空部形成シート２０８の下面２０８ｃにかけて第４接合層１４が形成されている。また前記第４接合層１４は、前記第２のシート６の上面６ａに接するように形成されている。したがって、前記中空部形成シート８と前記第２のシート６とが前記第４接合層１４を介して接合されるとともに、前記第６接合層３０と前記第２のシート６とが前記第４接合層１４を介して接合されている。したがって、前記第１のシート５と前記第２のシート６とが、前記第４接合層１４および前記第６接合層３０を介して接合されている。図４に示すように、前記第４接合層１４を介して前記第６接合層３０と前記第２のシート６とが接合されている部分には、接合領域２４が形成されている。
【００６７】
図４に示す前記接合領域２４が、図１に示す前記接合部３ａ、３ｂを構成している。
図４に示す中空体２０１でも、大きな設備やスペースを必要としないで製造することが可能となるとともに、シビアな精度管理を行わなくても前記中空体２０１を製造することができるため、全体として容易に製造を行うことができる。
【００６８】
また、前記中空体２０１では、前記中空部形成シート２０７および２０８のそれぞれに前記接合層２０７ｂおよび２０８ｂが形成されており、しかも前記接合層２０７ｂと２０８ｂとが互いに対向するように位置している。したがって、前記中空部２の前端２ａや後端２ｂを前記接合層２０７ｂと２０８ｂとで接合することによって袋体を容易に形成することができる。あるいは長手方向（図１に示すＹ１―Ｙ２方向）の途中で幅方向（図１に示すＸ１−Ｘ２方向）に切断し、この切断端面で前記接合層２０７ｂと２０８ｂとを接合することによって、袋体を容易に形成することができる。
【００６９】
ただし、前記中空部形成シート２０７および２０８が前記基材層２０７ａ、２０８ａのみの単層で形成されていても、前記中空体２０１としての製造を容易に行えるという効果は奏することができる。
【００７０】
前記中空部形成シート２０７および２０８の構成する前記基材層２０７ａおよび２０８ａは、例えばＰＰフィルムで形成することができ、例えば二軸延伸ＰＰフィルム（ＯＰＰ）で形成することができる。また前記接合層２０７ｂおよび２０８ｂは、低密度ＰＥで形成することができる。
【００７１】
また前記第６接合層３０は、例えば比較的溶融温度の低い低密度ＰＥ（ＬＤＰＥ）で構成すると、接合層として優れた機能を発揮できるため好ましい。
【００７２】
図５は、参考例の中空体を幅方向に切断した切断断面（図１に示すＩＩ−ＩＩ線での切断断面に相等）を模式的に示す断面図であり、図２に相等する図である。図５に示す中空体３０１の斜視図は図１と同様となるため省略する。
【００７３】
図５に示す前記中空体３０１は、図１および図２に示す前記中空体１と同じ構成要素を有して構成されている。したがって、図５に示す前記中空体３０１の構成要素のうち、図１および図２に示す前記中空体１と同じ構成要素には、前記中空体１と同じ符号を付して、その詳しい説明を省略する。
【００７４】
図５に示すように、前記中空体３０１は、図示上方側（図示Ｚ１方向側）の外側に位置する第１のシート５と、この第１のシート５の下方側（図示Ｚ２方向側）の外側に位置する第２のシート６、および前記第１のシート５と前記第２のシート６の間に介装された１枚の中空部形成シート７を有している。
【００７５】
図５に示すように、前記中空体３０１では、前記中空部形成シート７と前記第１のシート５との間に中間シート９が形成されている。また前記中空部形成シート７と前記第２のシート６との間に中間シート１０が形成されている。したがって、図５に示す前記中空体３０１は、合計５層のシート体が積層された構造として形成されている。
【００７６】
図５に示すように、前記中空体２０１では、図２に示す前記中空体１と異なり、前記中間シート９の幅寸法Ｗ３と前記中間シート１０の幅寸法Ｗ４とが同じ幅寸法で形成されている。そして、前記中間シート９の前記幅寸法Ｗ３および前記中間シート１０の幅寸法Ｗ４の方が、前記中空部形成シート７の幅寸法Ｗ１よりも大きく形成されている。
【００７７】
また前記第１のシートの前記幅寸法Ｗ５と前記第２のシート６の前記幅寸法Ｗ２とも同じ幅寸法で形成されている。そして、前記中間シート９の前記幅寸法Ｗ３および前記中間シート１０の前記幅寸法Ｗ４と、前記第１のシート５の前記幅寸法Ｗ５および前記第２のシート６の前記幅寸法Ｗ６とは、それぞれ同じ幅寸法で形成されている。
【００７８】
図５に示すように、前記第１のシート５と前記中間シート９との間には第７接合層３１が形成されており、この第７接合層３１を介して前記第１のシート５と前記中間シート９とが接合されている。また、前記第２のシート６と前記中間シート１０との間には第８接合層３２が形成されており、この第８接合層３２を介して前記第２のシート６と前記中間シート１０とが接合されている。
【００７９】
図５に示すように、前記中間シート９の下方側（図示Ｚ２側）には、前記中間シートの下面９ｂと接して第９接合層３３が形成されている。図５に示すように、前記中空部形成シート７と第９接合層３３とは上下方向（図示Ｚ１−Ｚ２方向）で対向する位置関係で形成されている。この中空部２では、前記中空部形成シート７と前記第９接合層３３とは接合されておらず、前記中空部形成シート７と前記第９接合層３３との間に中空部２が形成されている。すなわち図５に示すように、前記中空部２は前記中空部形成シート７と前記中間シート９との間に位置するように形成されている。
【００８０】
図５に示すように、前記第９接合層３３の下面３３ｂには、前記中空部形成シート７の側方から前記中空部形成シート７の下面７ｂにかけて第４接合層１４が形成されている。また前記第４接合層１４は、前記中間シート１０の上面１０ａに接するように形成されている。したがって、前記中空部形成シート７と前記中間シート１０とが前記第４接合層１４を介して接合されるとともに、中間シート１０と前記第９接合層３３とが前記第４接合層１４を介して接合されている。図４に示すように、前記第４接合層１４を介して前記第１のシート５と前記第２のシート６とが接合されている部分には、接合領域２４が形成されている。
図５に示す前記接合領域２４が、図１に示す前記接合部３ａ、３ｂを構成している。
【００８１】
図５に示す中空体３０１でも、大きな設備やスペースを必要としないで製造することが可能となるとともに、シビアな精度管理を行わなくても前記中空体３０１を製造することができるため、全体として容易に製造を行うことができる。
【００８２】
また前記第７接合層３１、前記第８接合層３２、前記第９接合層３３は、例えば比較的溶融温度の低い低密度ＰＥ（ＬＤＰＥ）で構成すると、接合層として優れた機能を発揮できるため好ましい。
【００８３】
図６は、本発明の中空体の第４実施形態を示す斜視図である。
図６に示す中空体４０１は、図１に示す前記中空体１と同じ構成要素を有して構成されている。したがって、図６に示す中空体４０１の構成要素のうち、図１に示す前記中空体１と同じ構成要素については同じ符号を付して、詳しい説明を省略する。
【００８４】
図６に示すように、前記中空体４０１は、中空部４０２Ａと４０２Ｂが、幅方向（図示Ｘ１−Ｘ２方向）に所定の間隔を空けて２つ並んで形成されている。前記中空部４０２Ａは、前記中空体４０１の長手方向に向かって延びており、前端で開口部４０４Ａａを有する開放端として形成されており、また後端で開口部４０４Ａｂを有する開放端として形成されている。
【００８５】
また前記中空部４０２Ｂは、前記中空体１０１の長手方向に向かって延びており、前端で開口部４０４Ｂａを有する開放端として形成されており、また後端で開口部４０４Ｂｂを有する開放端として形成されている。
【００８６】
また、２つの前記中空部４０２Ａと４０２Ｂとの間には接合部３ｃが形成されている。この接合部３ｃは、所定の幅寸法を有して長手方向（図示Ｙ１−Ｙ２方向）に延びて形成されている。
【００８７】
図７は図６に示す中空体をＶＩＩ−ＶＩＩ線で切断した切断断面を模式的に示す断面図である。図７に示す前記中空体４０１は、図１および図２に示す前記中空体１と同じ構成要素を有して構成されている。したがって、図７に示す前記中空体４０１の構成要素のうち、図１および図２に示す前記中空体１と同じ構成要素には、前記中空体１と同じ符号を付して、その詳しい説明を省略する。
【００８８】
図７に示すように、前記中空体４０１は、図示上方側（図示Ｚ１方向側）の外側に位置する第１のシート５と、この第１のシート５の下方側（図示Ｚ２方向側）の外側に位置する第２のシート６、および前記第１のシート５と前記第２のシート６の間に介装された２枚の中空部形成シート４０７Ａ、４０７Ｂを有している。図７に示すように、前記中空部形成シート４０７Ａと４０７Ｂとは、幅方向に所定間隔を空けて並んで配置されている。
【００８９】
図７に示すように、前記中空体４０１では、前記中空部形成シート４０７Ａ、４０７Ｂと、前記第１のシート５との間に中間シート９が形成されている。また前記中空部形成シート４０７Ａ、４０７Ｂと前記第２のシート６との間に中間シート１０が形成されている。
【００９０】
図７に示すように、前記中空体４０１では、前記中間シート９の幅寸法Ｗ３と前記中間シート１０の幅寸法Ｗ４とが同じ幅寸法で形成されている。
【００９１】
また前記第１のシートの前記幅寸法Ｗ５と前記第２のシート６の前記幅寸法Ｗ２とも同じ幅寸法で形成されている。そして、前記中間シート９の前記幅寸法Ｗ３および前記中間シート１０の前記幅寸法Ｗ４と、前記第１のシート５の前記幅寸法Ｗ５および前記第２のシート６の前記幅寸法Ｗ６とは、それぞれ同じ幅寸法で形成されている。
【００９２】
図７に示す前記中空体４０１では、図５に示す前記中空体３０１と同様に、前記第１のシート５と前記中間シート９との間には第７接合層３１が形成されており、この第７接合層３１を介して前記第１のシート５と前記中間シート９とが接合されている。また、前記第２のシート６と前記中間シート１０との間には第８接合層３２が形成されており、この第８接合層３２を介して前記第２のシート６と前記中間シート１０とが接合されている。
【００９３】
図７に示す前記中空体４０１では、図５に示す前記中空体３０１と同様に、前記中間シート９の下方側（図示Ｚ２側）には、前記中間シートの下面９ｂと接して第９接合層３３が形成されている。図７に示すように、前記中空部形成シート４０７Ａ、４０７Ｂと第９接合層３３とは上下方向（図示Ｚ１−Ｚ２方向）で対向する位置関係で形成されている。前記中空部４０２Ａ、４０２Ｂでは、前記中空部形成シート４０７Ａ、４０７Ｂと前記第９接合層３３とは接合されておらず、前記中空部形成シート４０７Ａ、４０７Ｂと前記第９接合層３３との間に前記中空部４０２Ａ、４０２Ｂが形成されている。すなわち図７に示すように、前記中空部４０２Ａは前記中空部形成シート４０７Ａと前記中間シート９との間に位置するように形成されており、前記中空部４０２Ｂは前記中空部形成シート４０７Ｂと前記中間シート９との間に位置するように形成されている。
【００９４】
図７に示すように、前記第９接合層３３の下面３３ｂには、前記中空部形成シート４０７Ａの側方から下面４０７Ａｂにかけて、および前記中空部形成シート４０７Ｂの側方から下面４０７Ｂｂにかけて第４接合層１４が形成されている。また、この第４接合層１４は、前記中空部形成シート４０７Ａと４０７Ｂとの間にも、前記中空部形成シート４０７Ａおよび４０７Ｂの側方から前記第９接合層３３の前記下面３３ｂにかけて形成されている。
【００９５】
また前記第４接合層１４は、前記中間シート１０の上面１０ａに接するように形成されている。したがって、前記中空部形成シート４０７Ａおよび４０７Ｂと前記中間シート１０とが前記第４接合層１４を介して接合されるとともに、中間シート１０と前記第９接合層３３とが前記第４接合層１４を介して接合されている。図７に示すように、前記第４接合層１４を介して前記第１のシート５と前記第２のシート６とが接合されている部分には、接合領域２４が形成されている。
【００９６】
図７に示す前記接合領域２４が、図６に示す前記接合部３ａ、３ｂ、３ｃを構成している。
【００９７】
図７に示す中空体４０１でも、大きな設備やスペースを必要としないで製造することが可能となるとともに、シビアな精度管理を行わなくても前記中空体４０１を製造することができるため、全体として容易に製造を行うことができる。
【００９８】
また、前記中空体４０１では、前記中空部４０２Ａと４０２Ｂとが、幅方向に所定間隔を空けて並んで形成されているため、例えば前記中空体４０１をホースとして使用する場合に、前記中空部４０２Ａと４０２Ｂとで、異なる被搬送物を搬送することが可能となる。また、袋体として使用した場合には、前記中空部４０２Ａと４０２Ｂとで、異なる被梱包物を梱包することが可能となる。
【００９９】
また前記中空部形成シート４０７Ａおよび４０７Ｂは、例えば低密度ＰＥで構成することができる。この場合、例えば、防錆包装材として前記中空体１を使用する場合には、前記中空部形成シート７および８に防錆剤を混合するなど、用途に応じて添加剤を混合することもできる。
【０１００】
図８は、参考例となるシート体を示す斜視図である。図８に示すシート体６０１は、下層シート６０２と、この下層シート６０２の上方側（図示Ｚ１方向側）に重ねて形成された上層シート６０３とを有して構成されている。
【０１０１】
図８に示すシート体は、前記下層シート６０２の上方側から見た平面形状は、前記シート体６０１の長手方向（図示Ｙ１−Ｙ２方向）に延びる長方形に形成されている。また前記上層シート６０３も前記シート体６０１の長手方向に向かって延びる長方形に形成されている。
【０１０２】
図８に示すように、前記上層シート６０３は、第１のシート半体６０４と第２のシート半体６０５とで構成されている。前記第１のシート半体２０４と前記第２のシート半体２０５は、前記下層シート６０２の上面６０２ａに、前記シート体６０１の幅方向（図示Ｘ１ーＸ２方向）に並んで接合されている。
【０１０３】
前記第１のシート半体６０４は、内側端６０４ｃと外側端６０４ｄと、前端６０４ｈと後端６０４ｉを有している。
【０１０４】
また、前記前記第２のシート半体６０５は、外側端６０５ｃと内側端６０５ｄと、前端６０５ｈと後端６０５ｉを有している。
【０１０５】
図８に示すように、前記下層シート６０２の前端６０２ｈと、前記第１のシート半体６０４の前端６０４ｈおよび前記第２のシート半体６０５の前端６０５ｈとは、上下方向（図示Ｚ１−Ｚ２方向）で対向するように形成されている。また、前記下層シート６０２の後端６０２ｉと、前記第１のシート半体６０４の後端６０４ｉおよび前記第２のシート半体６０５の後端６０５ｉとは、上下方向で対向するように形成されている。
【０１０６】
また、前記下層シート６０２の一方の側端６０２ｃと、前記第２のシート半体６０５の外側端２０５ｃとは、上下方向で対向するように形成されている。また、前記下層シート６０２の外側端６０２ｄと、前記第１のシート半体６０４の外側端６０４ｄとは、上下方向で対向するように形成されている。
【０１０７】
このような位置関係で、前記第１のシート半体６０４および前記第２のシート半体６０５が、前記下層シート６０２の前記上面６０２ａの全面に接合されている。
【０１０８】
図８に示すように、前記第１のシート半体６０４の前記内側端６０４ｃ側に形成された内側端領域６０４ｅと、前記第２のシート半体６０５の前記内側端６０５ｄ側に形成された内側端領域６０５ｅは、折り曲げ線６１０、６１１によって谷折りにされ、前記下層シート６０２の前記上面６０２ａに対して上方側に折り曲げられている。そして、前記第１のシート半体６０４の前記内側端領域６０４ｅと前記第２のシート半体６０５の前記内側端領域６０５ｅとが接合されて接合部６０３ａを構成している。この接合部６０３ａは、前記シート体６０１の前端６０１ａから後端６０１ｂまで連続して形成されている。
【０１０９】
前記シート体６０１では、前記下層シート６０２が複数のシートが積層されたシート積層体として構成されている。図８に示す前記シート体６０１では、前記下層シート６０２を構成するシート積層体の積層構造が図９に示すシート積層体５０４と５０５とで構成されている。図９にはシート積層体５００を幅方向に切断した切断段断面を示しているが、図９に示す図では、前記シート積層体５００を図８に示す第１の下層シート半体６０２Ａと第２の下層シート半体６０２Ｂの内側どうしが、互いに対向する状態に折り曲げて模式的に図示している。
【０１１０】
図９に示すように、前記シート積層体５００は、図１および図２に示す前記中空体１と同じ構成要素を有して構成されている。したがって、図９に示す前記シート積層体５００の構成要素のうち、図１および図２に示す前記中空体１と同じ構成要素には、前記中空体１と同じ符号を付して、その詳しい説明を省略する。
【０１１１】
図９に示すように、前記シート積層体５００は、図示上方側（図示Ｚ１方向側）の外側に位置する第１のシート５と、この第１のシート５の下方側（図示Ｚ２方向側）の外側に位置する第２のシート６、および前記第１のシート５と前記第２のシート６の間に介装された１枚の折り曲げシート５０３を有している。
【０１１２】
前記折り曲げシート５０３は幅方向を２分する中央部で折り曲げられ、両側端部５０３ｃと５０３ｄとが上下方向（図示Ｚ１−Ｚ２方向）で互いに対向するように折り曲げられている。
【０１１３】
図９に示すように、前記シート積層体５００では、前記折り曲げシート５０３と前記第１のシート５との間に、第７接合層３１を介して中間シート９が形成されている。また前記折り曲げシート５０３と前記第２のシート６との間に、第８接合層３２を介して中間シート１０が形成されている。
【０１１４】
そして、前記中間シート１０の上面１０ａには、第１０接合層３４が形成されている。
図９に示すように、前記第１０接合層３４の上には、第１０接合層３４の上面３４ａに前記折り曲げシート５０３の折り曲げ下面５０３ｂ表面が接する状態で、前記折り曲げシート５０３が形成されている。したがって、前記折り曲げシート５０３の前記折り曲げ下面５０３ｂが前記第１０接合層３４を介して、前記中間シート１０と接続されている。
【０１１５】
図９に示すように、前記第１０接合層３４の上面３４ａには、前記折り曲げシート５０３の側方から前記折り曲げ上面５０３ａ表面にかけて、第４接合層１４が形成されている。また、前記第４接合層１４は、前記中間シート９の下面９ｂに接するように形成されている。したがって、前記折り曲げシート５０３の折り曲げ上面５０３ａと前記中間シート９が前記第４接合層１４を介して接合されるとともに、前記中間シート９と前記中間シート１０とが、前記第４接合層１４および前記第１０接合層３４を介して接合されている。
【０１１６】
前記折り曲げシート５０３の幅寸法Ｗ７は、前記中間シート９の幅寸法Ｗ３よりも小さく形成されており、前記中間シート９の前記下面９ｂの側端部領域９ｂ１には、前記折り曲げシート５０３が対向していない。また、前記折り曲げシート５０３の前記側端部領域９ｂ１側の側方には、前記第４接合層１４が形成される。
【０１１７】
図９に示すシート積層体５００では、前記中間シート９と前記折り曲げシート５０３の前記折り曲げ上面５０３ａとがシート積層体５０４を構成し、前記中間シート１０と前記折り曲げ下面５０３ｂとがシート積層体５０５を構成する。
【０１１８】
図９に示す前記シート積層体５００では、シート積層体５０４を図示上方向（図示Ｚ１方向）に向かって開くとともに、シート積層体５０５を図示下方向（図示Ｚ２方向）に向かって開いたときに、図示仮想境界線Ｄ−Ｄ線の上方向側に位置するシート積層体５０４が前記下層シート６０２の前記下層シート半体５０２Ｂを構成するとともに、前記仮想境界線Ｄ−Ｄ線の下方向側に位置するシート積層体５０５が前記下層シート６０２を構成する下層シート半体６０２Ａを構成する。
【０１１９】
また、図８に示す前記シート体６０１では、図９に示す前記シート積層体５００の前記第１のシート５が図８に示す前記上層シート６０３を構成する前記第２のシート半体６０５を構成し、前記第２のシート６が図８に示す前記上層シート６０３を構成する前記第１のシート半体６０４を構成する。
【０１２０】
前記シート体６０１では、前記Ｔダイによって前記各シート５、６、７、８、９、１０、あるいは前記折り曲げシート５０３を積層し、これを開くだけで、前記中空体１、１０１、２０１、３０１、あるいは前記シート積層体５００の約２倍の大きさの幅寸法を有するシート体６０１を製造することができる。
【０１２１】
したがって、低廉な製造コストで製造することができるとともに、製造スペースの確保を容易にすることができる。
【０１２２】
以下に図２ないし図７に示す前記中空体１、１０１、２０１、３０１４０１の製造方法を説明する。
【０１２３】
図１０には、前記中空体１、１０１、２０１、３０１、４０１を製造するための製造装置と、この製造装置を用いた中空体の製造工程を示している。
【０１２４】
以下には、まず図１０用いて、前記製造装置８００と、この製造装置８００を用いた前記中空体１の製造方法を概略的に説明し、その後に前記中空体１、１０１、２０１、３０１、４０１の製造工程を具体的に詳しく説明する。
【０１２５】
図１０に示す製造装置８００は、搬送ロール８０１ａと搬送装置８０１ｂとを有するコンベア８０１と、接合層塗布機構８１０とを有している。前記接合層塗布機構８１０は、ホッパ８０２が設置された溶融押出し機８０３と、この溶融押出し器８０３に連設されているＴダイ８０４とから構成されている。
【０１２６】
図１０に示すように、搬送装置８０１ｂ上に、シート体８３０が載置される。
そして、前記搬送装置８０１ｂが前記搬送ロールの回転駆動力によって図示Ｙ１側からＹ２側に向って一定の速度で連続的に移動することによって、前記搬送装置８０１ｂ上に載置された前記シート体８３０も図示Ｙ１側からＹ２側へ搬送される。
【０１２７】
前記コンベア８０１上に設置されている溶融押出し機８０３では、その上部に設置されているホッパ８０２に、接合層８３１を形成する樹脂材料８２０が投入される。この樹脂材料８２０は、前記接合層８３１を形成するためのものであり、例えばポリエチレン樹脂材料である。
【０１２８】
前記ホッパ８０２に投入された前記樹脂材料８２０は、Ｔダイ８０４を用いた溶融押し出し法によって前記接合層８３１とされる。
【０１２９】
ここで本明細書において「Ｔダイを用いた溶融押し出し法」とは、ダイアダプタを取り付けるとＴ字形状になるダイを溶融押し出し機に設置して、溶融樹脂を押し出して樹脂をシート状に成型する加工方法を意味する。
【０１３０】
図１０に示すように、前記樹脂材料８２０は、前記溶融押出し機８０３によって、加熱され溶融されて混練されて押し出され、前記Ｔダイ８０４に形成されたスリットからシート状に成型されながら、前記シート体８３０の上に押し出されて、前記接合層８３１とされる。
【０１３１】
前記製造装置８００では、前記接合層塗布機構８１０によって前記シート体８３０の上に前記接合層８３１が形成された直後に、ガイドロール８４０を通過して前記接合層８３１の上に、他のシート体８３２が供給される。このようにして、前記シート体８３０の上に、前記接合層８３１を介して、前記シート体８３２が接合される。すなわち、前記シート体８３０と８３２とは、前記樹脂材料８２０で形成される接合層８３１による溶融押し出しラミネート法によって接合される。
【０１３２】
前記中空体１は、前記製造装置８００によって、以上のようにシート体８３０、８３２に相等する各シート５、６、７、８、９、１０を積層（接合）する工程を経て製造されるが、以下に前記中空体１の具体的な製造工程について説明する。
【０１３３】
図１１ないし図１４は、図２に示す前記中空体１の製造工程を示す工程図であり、各製造工程における中空体１を図２と同様の方向から見た切断断面図である。
【０１３４】
図１１に示すように、まず前記中空部形成シート７と前記中空部形成シーと８とを重ねた状態で、前記製造装置８００の前記搬送装置８０１ｂ上に載置する。このとき、前記中空部形成シート８の前記下面８ｂが前記搬送装置８０１ｂに接するように載置する。この状態で、前記中空部形成シート８の前記上面８ａから前記中空部形成シート７の前記上面７ａにかけて、前記Ｔダイ８０４から溶融された前記樹脂材料８２０を押し出す。図１１に示すように、前記樹脂材料８２０は、前記中空部形成シート７の前記上面７ａの全面、および前記中空部形成シート８の上面８ａのうち前記中空部形成シート７と重なった領域以外の全面（前記中空部形成シート８の幅寸法Ｗ２の全域）にわたって押し出される。このとき、前記樹脂材料８２０は、前記Ｔダイ８０４に形成されたスリットからシート状に成型されながら、前記中空部形成シート７、８の前記上面７ａ、８ａ上に押し出される。このようにしてシート状に押し出された前記樹脂材料８２０が、前記第１接合層１１を構成する。
【０１３５】
次に、図１１に示すように、前記第１接合層１１の上に、前記中間シート９を、下面９ｂが前記第１接合層１１と接するように重ねて接合する。
【０１３６】
このとき、図２で説明したように、前記中空部形成シート８の幅寸法Ｗ２よりも前記中間シート９の幅寸法Ｗ３の方が大きいため（図２を参照）図１１に示すように、前記中間シート９の前記下面９ｂの両側端部領域９ｂ１、９ｂ２には、前記第１接合層１１が対向せず、この両側端部領域９ｂ１、９ｂ２には前記第１接合層１１が形成されない。
【０１３７】
したがって、前記中空部形成シート７の前記上面７ａの全面が、前記第１接合層１１を介して前記中間シート９と接合されるともに、前記中空部形成シート８の両側端部が前記第１接合層１１を介して前記中間シート９と接合される。このようにして積層された前記中空部形成シート７および８と前記中間シート９とで積層体９０１を構成する。
【０１３８】
図１１に示すように、前記中空部形成シート７と８とは第１接合部１１によって接合されていないため、前記中空部形成シート７と８との間には中空部２が形成される。
【０１３９】
図１１に示す工程では、前記中間シート９が図１０に示すシート体８３０に該当し、前記第１接合層１１が図１０に示す接合層８３１に該当し、前記中空部形成シート７と８とを重ねたものが、図１０に示すシート体８３２に該当する。
【０１４０】
次に図１２に示すように、前記積層体９０１を構成する前記中間シート９の下面９ｂの前記両側端部領域９ｂ１、９ｂ２に、前記第１接合層１１の側方から前記中空部形成シート８の側方、および前記中空部形成シート８の下面８ｂにかけて、前記Ｔダイ８０４から溶融された前記樹脂材料８２０を押し出して第２接合層１２を形成する。図１２に示すように、前記樹脂材料８２０は、前記中空部形成シート８の下面８ｂの全面、および前記中間シート９の下面９ｂのうち前記中空部形成シート７と８とが重なった領域以外の全面（前記中間シート９の幅寸法Ｗ３の全域）、すなわち前記積層体９０１の下側全面にわたって押し出される。
【０１４１】
次に、前記第２接合層１２の下面１２ｂに接するように中間シート１０を重ねると、前記中間シート９および前記中空部形成シート８と、前記中間シート１０とが、前記第２接合層１２を介して接合される。この際、図２に示すように、前記中間シート９の幅寸法Ｗ３よりも前記中間シート１０の幅寸法Ｗ４の方が大きいため、前記中間シート１０の上面１０ａの両側端部領域１０ａ１、１０ａ２は前記中間シート９および前記第２接合層１２と対向せず、この両側端部領域１０ａ１、１０ａ２には前記第２接合層１２が形成されない。
【０１４２】
このようにして積層された前記中空部形成シート７および８と前記中間シート９および１０とで積層体９０２が構成される。
【０１４３】
図１２に示す工程では、前記積層体９０１が図１０に示すシート体８３０に該当し、前記第２接合層１２が図１０に示す前記接合層８３１に該当し、前記中間シート１０が図１０に示すシート体８３２に該当する。
【０１４４】
次に図１３に示すように、前記積層体９０２を構成する前記中間シート１０の前記上面１０ａの前記両側端部領域１０ａ１、１０ａ２に、前記第２接合層１２の側方から前記中間シート９の側方、および前記中間シート９の上面９ａにかけて、前記Ｔダイ８０４から溶融された前記樹脂材料８２０を押し出して、第３接合層１３を形成する。図１３に示すように、前記樹脂材料８２０は、前記中間シート９の上面９ａの全面、および前記中間シート１０の上面１０ａのうち前記中空部形成シート７と８と前記中間シート９とが重なった領域以外の全面（前記中間シート１０の幅寸法Ｗ４の全域）、すなわち前記積層体９０２の上側全面にわたって押し出される。
【０１４５】
次に、前記第３接合層１３の上面１３ａに接するように第１のシート５を重ねると、前記中間シート９および１０と、前記第１のシート５とが、前記第３接合層１３を介して接合される。この際、図２に示すように、前記中間シート１０の幅寸法Ｗ４よりも前記第１のシート５の幅寸法Ｗ５の方が大きいため、前記第１のシート５の下面５ｂの両側端部領域５ｂ１、５ｂ２は、前記中間シート１０および前記第３接合層１３と対向せず、この両側端部領域５ｂ１、５ｂ２には前記第３接合層１３が形成されない。
【０１４６】
このようにして積層された前記中空部形成シート７および８と、前記中間シート９および１０と、前記第１のシート５とで積層体９０３が構成される。
【０１４７】
図１３に示す工程では、前記積層体９０２が図１０に示すシート体８３０に該当し、前記第３接合層１３が図１０に示す前記接合層８３１に該当し、前記第１のシート５が図１０に示す前記シート体８３２に該当する。
【０１４８】
次に図１４に示すように、前記積層体９０３を構成する前記第１のシート５の前記下面５ｂの前記両側端部領域５ｂ１、５ｂ２に、前記第３接合層１３の側方から前記中間シート１０の側方、および前記中間シート１０の下面１０ｂにかけて、前記Ｔダイ８０４から溶融された前記樹脂材料８２０を押し出して第４接合層１４を形成する。図１４に示すように、前記樹脂材料８２０は、前記中間シート１０の下面１０ｂの全面、および前記第１のシート５の下面５ｂのうち前記中空部形成シート７と８と前記中間シート９と１０とが重なった領域以外の全面（前記第１のシート５の幅寸法Ｗ５の全域）、すなわち前記積層体９０３の下側全面にわたって押し出される。
【０１４９】
次に、前記第４接合層１４の下面１４ｂに接するように第２のシート６を重ねると、前記中間シート１０および前記第１のシート５と、前記第２のシート６とが、前記第４接合層１４を介して接合される。この際、図２に示すように、前記第１のシート５の幅寸法Ｗ５と前記第２のシート６の幅寸法Ｗ６とは同じ寸法で形成されているため、前記第１のシート５の下面５ｂの両側端部領域５ｂ１、５ｂ２は、前記第２のシート６および前記第４接合層１４と対向し、前記第１のシート５の前記下面５ｂの前記両側端部領域５ｂ１、５ｂ２は、前記第４接合層１４を介して前記第２のシート６と接合される。
【０１５０】
このようにして積層された前記中空部形成シート７および８と、前記中間シート９および１０と、前記第１のシート５と前記第２のシート６とが積層されると積層体９０４が形成され、この積層体９０４が図２に示す前記中空体１を構成する。
【０１５１】
図１４に示す工程では、前記積層体９０３が図１０に示すシート体８３０に該当し、前記第３接合層１３が図１０に示す前記接合層８３１に該当し、前記第１のシート５が図１０に示す前記シート体８３２に該当する。
【０１５２】
図１１ないし図１４に示す前記中空体１の製造方法では、前記中空部形成シート７、前記中空部形成シート８、前記中間シート９、前記中間シート１０、前記第１のシート５、前記第２のシート６をそれぞれ重ねて、前記第１接合層１１、前記第２接合層１２、前記第３接合層１３、前記第４接合層１４によって、前記したように各シート５、６、７、８、９、１０を互いに接合するだけで中空体１を製造することができるので、中空体１を容易に形成することができる。従来では、例えば樹脂材料などをインフレーション法などの方法によって中空体を形成していたが、前記インフレーション法では樹脂の内部にエアを吹き込んで膨らますなどの方法によって行われるため、設備が大きくなる。しかし前記中空体１はＴダイ押し出し法によって製造することができるため、大きな設備やスペースを必要としないで製造することが可能となる。
【０１５３】
また、前記中空体１の製造方法では、図１１に示すように、前記中空部形成シート７の前記上面７ａの全面、および前記中空部形成シート８の上面８ａのうち前記中空部形成シート７と重なった領域以外の全面に前記第１接合層１１を形成すれば良い。また図１２に示すように、前記積層体９０１の下側全面にわたって前記第２接合層１２を形成すれば良い。また図１３に示すように、前記積層体９０２の上側全面にわたって前記第３接合層１３を形成すれば良い。さらに図１４に示すように、前記積層体９０３の下側全面にわたって前記第４接合層１４を形成すれば良い。
【０１５４】
このように、図１１ないし図１４に示す中空体１の製造方法では、各シート５、６、７、８、９、１０の側端部の狭い面積に、接合層を形成する必要がなく、前記中空部形成シート７と８の重ね体の全面、前記積層体９０１、９０２、９０３の全面に、それぞれ前記各接合層１１、１２、１３、１４を形成すれば良いため、シビアな精度の制御を行わなくても前記中空体１を製造することができ、全体として容易に製造を行うことが可能となる。
【０１５５】
図１５ないし図１８は、図３に示す前記中空体１０１の製造方法を示す工程図であり、各製造工程における中空体１０１を図３と同じ方向から見た切断断面図である。
【０１５６】
図１５に示すように、まず前記中空体１の製造方法を示す図１１に示す工程と同じ工程によって、図１５に示す前記積層体９０１を製造する。
【０１５７】
図１５に示す工程では、前記中間シート９が図１０に示すシート体８３０に該当し、前記第１接合層１１が図１０に示す接合層８３１に該当し、前記中空部形成シート７と８とを重ねたものが、図１０に示すシート体８３２に該当する。
【０１５８】
次に図１６に示すように、前記積層体９０１を構成する前記中間シート９の下面９ｂの前記両側端部領域９ｂ１、９ｂ２に、前記第１接合層１１の側方から前記中空部形成シート８の側方、および前記中空部形成シート８の下面８ｂにかけて、前記Ｔダイ８０４から溶融された前記樹脂材料８２０を押し出して第２接合層１２を形成する。図１２に示すように、前記樹脂材料８２０は、前記中空部形成シート８の下面８ｂの全面、および前記中間シート９の下面９ｂのうち前記中空部形成シート７と８とが重なった領域以外の全面（前記中間シート９の幅寸法Ｗ３の全域）、すなわち前記積層体９０１の下側全面にわたって押し出される。
【０１５９】
次に、前記第２接合層１２の下面１２ｂに接するように中間シート１０を重ねると、前記中間シート９および前記中空部形成シート８と、前記中間シート１０とが、前記第２接合層１２を介して接合される。この際、図３に示すように、前記中間シート９の幅寸法Ｗ３と前記中間シート１０の幅寸法Ｗ４とが同じ大きさに形成されているため、前記中間シート１０の上面１０ａの両側端部領域１０ａ１、１０ａ２は前記中間シート９および前記第２接合層１２と対向せず、この両側端部領域１０ａ１、１０ａ２には前記第２接合層１２が形成されない。したがって、前記中空部形成シート８と前記中間シート１０が前記第２接合層１２を介して接合されるとともに、前記中間シート９と前記中間シート１０とが前記第２接合層１２を介して接合される。
【０１６０】
このようにして積層された前記中空部形成シート７および８と前記中間シート９および１０とで積層体９０５が構成される。
【０１６１】
図１６に示す工程では、前記積層体９０１が図１０に示すシート体８３０に該当し、前記第２接合層１２が図１０に示す前記接合層８３１に該当し、前記中間シート１０が図１０に示すシート体８３２に該当する。
【０１６２】
次に図１７に示すように、前記積層体９０５を構成する前記中間シート９の前記上面９ａに、前記Ｔダイ８０４から溶融された前記樹脂材料８２０を押し出して第５接合層１５を形成する。図１７に示すように、前記樹脂材料８２０は、前記中間シート９の上面９ａの全面、すなわち前記積層体９０５の上側全面にわたって押し出される。
【０１６３】
次に、前記第５接合層１５の上面１５ａに接するように第１のシート５を重ねると、前記中間シート９と前記第１のシート５とが、前記第５接合層１５を介して接合される。この際、図３に示すように、前記中間シート９の幅寸法Ｗ３よりも前記第１のシート５の幅寸法Ｗ５の方が大きいため、前記第１のシート５の下面５ｂの両側端部領域５ｂ１、５ｂ２は、前記中間シート１０の上面１０ａ全面に接合された前記第５接合層１５と対向せず、この両側端部領域５ｂ１、５ｂ２には前記第５接合層１５が形成されない。
【０１６４】
このようにして積層された前記中空部形成シート７および８と、前記中間シート９および１０と、前記第１のシート５とで積層体９０６が構成される。
【０１６５】
図１７に示す工程では、前記積層体９０５が図１０に示すシート体８３０に該当し、前記第５接合層１５が図１０に示す前記接合層８３１に該当し、前記第１のシート５が図１０に示す前記シート体８３２に該当する。
【０１６６】
次に図１８に示すように、前記積層体９０６を構成する前記第１のシート５の前記下面５ｂの前記両側端部領域５ｂ１、５ｂ２に、前記第５接合層１５と前記中間シート９と前記第３接合層１３の側方から前記中間シート１０の側方、および前記中間シート１０の下面１０ｂにかけて、前記Ｔダイ８０４から溶融された前記樹脂材料８２０を押し出して第４接合層１４を形成する。図１８に示すように、前記樹脂材料８２０は、前記中間シート１０の下面１０ｂの全面、および前記第１のシート５の下面５ｂのうち前記中空部形成シート７と８と前記中間シート９と１０とが重なった領域以外の全面（前記第１のシート５の幅寸法Ｗ５の全域）、すなわち前記積層体９０６の下側全面にわたって押し出される。
【０１６７】
次に、前記第４接合層１４の下面１４ｂに接するように第２のシート６を重ねると、前記中間シート１０および前記第１のシート５と、前記第２のシート６とが、前記第４接合層１４を介して接合される。この際、図３に示すように、前記第１のシート５の幅寸法Ｗ５と前記第２のシート６の幅寸法Ｗ６とは同じ寸法で形成されているため、前記第１のシート５の下面５ｂの両側端部領域５ｂ１、５ｂ２は、前記第２のシート６および前記第４接合層１４と対向し、前記第１のシート５の前記下面５ｂの前記両側端部領域５ｂ１、５ｂ２は、前記第４接合層１４を介して前記第２のシート６と接合される。
【０１６８】
このようにして積層された前記中空部形成シート７および８と、前記中間シート９および１０と、前記第１のシート５と前記第２のシート６とが積層されると積層体９０７が形成され、この積層体９０７が図３に示す前記中空体１０１を構成する。
【０１６９】
図１８に示す工程では、前記積層体９０６が図１０に示すシート体８３０に該当し、前記第４接合層１４が図１０に示す前記接合層８３１に該当し、前記第２のシート６が図１０に示す前記シート体８３２に該当する。
【０１７０】
図１５ないし図１８に示す前記中空体１０１の製造方法でも、前記中空部形成シート７、前記中空部形成シート８、前記中間シート９、前記中間シート１０、前記第１のシート５、前記第２のシート６をそれぞれ重ねて、前記第１接合層１１、前記第２接合層１２、前記第３接合層１３、前記第４接合層１４によって、前記したように各シート５、６、７、８、９、１０を互いに接合するだけで中空体１を製造することができるので、中空体１を容易に形成することができる。また大きな設備やスペースを必要としないで製造することが可能となる。
【０１７１】
また、前記中空体１の製造方法では、図１５に示すように、前記中空部形成シート７の前記上面７ａの全面、および前記中空部形成シート８の上面８ａのうち前記中空部形成シート７と重なった領域以外の全面に前記第１接合層１１を形成すれば良い。また図１６に示すように、前記積層体９０１の下側全面にわたって前記第２接合層１２を形成すれば良い。また図１７に示すように、前記積層体９０５の上側全面にわたって前記第５接合層１５を形成すれば良い。さらに図１８に示すように、前記積層体９０６の下側全面にわたって前記第４接合層１４を形成すれば良い。
【０１７２】
このように、図１５ないし図１８に示す中空体１０１の製造方法でも、各シート５、６、７、８、９、１０の側端部の狭い面積に、接合層を形成する必要がないため、シビアな精度の制御を行わなくても前記中空体１０１を製造することができ、全体として容易に製造を行うことが可能となる。
【０１７３】
図１９ないし図２０は、図４に示す前記中空体２０１の製造工程を示す工程図であり、各製造工程における中空体２０１を図２と同様の方向から見た切断断面図である。
【０１７４】
図１９に示すように、まず第１のシート５を、上面５ａが前記製造装置８００の前記搬送装置８０１ｂに接するように前記搬送装置８０１ｂ上に載置する。この状態で、前記第１のシート５の下面５ｂに、前記Ｔダイ８０４から溶融された前記樹脂材料８２０を押し出す。図１９に示すように、前記樹脂材料８２０は、前記第１のシート５の前記下面５ｂの全面にわたって押し出される。このとき、前記樹脂材料８２０は、前記Ｔダイ８０４に形成されたスリットからシート状に成型されながら、前記第１のシート５の前記下面５ｂに押し出される。このようにしてシート状に押し出された前記樹脂材料８２０が、図４に示す前記第６接合層３０を構成する。
【０１７５】
次に、前記第６接合層３０下面３０ｂに接するように、基材層２０７ａと接合層２０７ｂとで構成される中空部形成シート２０７を重ねると、前記第１のシート５と前記中空部形成シート２０７とが、前記第６接合層３０を介して接合される。
【０１７６】
次に図１９に示すように、基材層２０８ａと接合層２０８ｂとを有する中空部形成シートを用意する。そして図１９に示すように、前記積層体９０８を構成する前記中空部形成シート２０７に前記中空部形成シート２０８を重ねる。
【０１７７】
このようにして積層された前記中空部形成シート２０７と、前記第１のシート５、および前記中空部形成シート２０７に重ねられた前記中空部形成シート２０８とで積層体９０８が形成される。
【０１７８】
図１９に示す工程では、前記第１のシート５が図１０に示すシート体８３０に該当し、前記第６接合層３０が図１０に示す前記接合層８３１に該当し、前記中空部形成シート２０７および２０８とが図１０に示す前記シート体８３２に該当する。
【０１７９】
この状態で図２０に示すように、前記第６接合層３０の下面３０ｂから、前記中空部形成シート２０８の下面２０８ｃにかけて、前記Ｔダイ８０４から溶融された前記樹脂材料８２０を押し出す。図２０に示すように、前記樹脂材料８２０は、前記中空部形成シート２０８の前記下面２０８ｃの全面にわたって押し出される。このとき、前記樹脂材料８２０は、前記Ｔダイ８０４に形成されたスリットからシート状に成型されながら、前記中空部形成シート２０８の前記下面２０８ｃ上に押し出される。このようにしてシート状に押し出された前記樹脂材料８２０が、図４に示す前記第４接合層１４を構成する。
【０１８０】
次に図２０に示すように、前記第４接合層１４の下に、第２のシート６を、上面６ａが前記第４接合層１４と接するように重ねて接合する。
【０１８１】
このようにして積層された前記第１のシート５と前記第２のシート６と前記中空部形成シート２０７と２０８とで積層体９０９が形成される。この積層体９０９が図４に示す前記中空体２０１を構成する。
【０１８２】
図１９および図２０に示す前記中空体２０１の製造方法でも、前記中空部形成シート２０７、前記中空部形成シート２０８、前記第１のシート５、前記第２のシート６をそれぞれ重ねて、前記第４接合層１４、前記第６接合層３０によって、前記したように各シート５、６、２０７、２０８を互いに接合するだけで中空体２０１を製造することができるので、中空体２０１を容易に形成することができる。また大きな設備やスペースを必要としないで製造することが可能となる。
【０１８３】
また、前記中空体２０１の製造方法では、図１９に示すように、前記第１のシート５の前記下面５ｂの全面に前記第６接合層３０を形成すれば良い。また図２１に示すように、前記積層体９０８の下側全面にわたって前記第４接合層１４を形成すれば良い。
【０１８４】
このように、図１９および図２０に示す中空体２０１の製造方法でも、各シート５、６、２０７、２０８の側端部の狭い面積に、接合層を形成する必要がないため、シビアな精度の制御を行わなくても前記中空体２０１を製造することができ、全体として容易に製造を行うことが可能となる。
【０１８５】
図２１ないし図２４は、図５に示す前記中空体３０１の製造工程を示す工程図であり、各製造工程における中空体３０１を図２と同様の方向から見た切断断面図である。
【０１８６】
図２１に示すように、まず第１のシート５を、上面５ａが前記製造装置８００の前記搬送装置８０１ｂに接するように前記搬送装置８０１ｂ上に載置する。この状態で、前記第１のシート５の下面５ｂに、前記Ｔダイ８０４から溶融された前記樹脂材料８２０を押し出す。図２１に示すように、前記樹脂材料８２０は、前記第１のシート５の前記下面５ｂの全面にわたって押し出される。このとき、前記樹脂材料８２０は、前記Ｔダイ８０４に形成されたスリットからシート状に成型されながら、前記第１のシート５の前記下面５ｂに押し出される。このようにしてシート状に押し出された前記樹脂材料８２０が、図５に示す前記第７接合層３１を構成する。
【０１８７】
次に、前記第７接合層３１の下面３１ｂに接するように、中間シート９を重ねる。次に、前記中間シート９の下面９ｂに、前記Ｔダイ８０４から溶融された前記樹脂材料８２０を押し出す。図２１に示すように、前記樹脂材料８２０は、前記中間シート９の下面９ｂの全面にわたって押し出される。このとき、前記樹脂材料８２０は、前記Ｔダイ８０４に形成されたスリットからシート状に成型されながら、前記中間シート９の前記下面９ｂに押し出される。このようにしてシート状に押し出された前記樹脂材料８２０が、図５に示す前記第９接合層３３を構成する。
【０１８８】
このようにして積層された前記第１のシート５と、前記中間シート９とで積層体９１０が形成される。
【０１８９】
図２１に示す工程では、前記第１のシート５が図１０に示すシート体８３０に該当し、前記第７接合層３１が図１０に示す前記接合層８３１に該当し、前記中間シート９が図１０に示す前記シート体８３２に該当する。また、前記第９接合層３３は、図１０に示す前記シート体８３２の上に、前記Ｔダイ８０４を用いて形成されることになる。
【０１９０】
次に図２２に示すように、第２のシート６を、下面６ｂが前記製造装置８００の前記搬送装置８０１ｂに接するように前記搬送装置８０１ｂ上に載置する。この状態で、前記第２のシート６の上面６ａに、前記Ｔダイ８０４から溶融された前記樹脂材料８２０を押し出す。図２１に示すように、前記樹脂材料８２０は、前記第２のシート６の前記上面６ａの全面にわたって押し出される。このとき、前記樹脂材料８２０は、前記Ｔダイ８０４に形成されたスリットからシート状に成型されながら、前記第２のシート６の前記上面６ａに押し出される。このようにしてシート状に押し出された前記樹脂材料８２０が、図５に示す前記第８接合層３２を構成する。
【０１９１】
次に、前記第８接合層３２の上面３２ａに接するように、中間シート１０を重ねて接合する。
【０１９２】
このようにして積層された前記第２のシート６と、前記中間シート１０とで積層体９１１が形成される。
【０１９３】
図２２に示す工程では、前記第２のシート６が図１０に示すシート体８３０に該当し、前記第８接合層３２が図１０に示す前記接合層８３１に該当し、前記中間シート１０が図１０に示す前記シート体８３２に該当する。
【０１９４】
次に図２３に示すように、前記積層体９１０の下側に前記中空部形成シート７を重ねる。このとき、図２３に示すように前記積層体９１０に形成された前記第９接合層３３の下面３３ｂが前記中空部形成シート７の上面７ａと対向するように重ねる。このように、前記積層体９１０と前記中空部形成シート７とを重ねたものが積層体９１１を構成する。
【０１９５】
次に図２４に示すように、前記積層体９１２の前記第９接合層３３の下面３３ｂの前記両側端部領域３３ｂ１、３３ｂ２に、前記中空部形成シート７の側方から前記中空部形成シート７の下面７ｂにかけて、前記Ｔダイ８０４から溶融された前記樹脂材料８２０を押し出して第４接合層１４を形成する。図２４に示すように、前記樹脂材料８２０は、前記中空部形成シート７の下面７ｂの全面、および前記第９接合層３３の下面３３ｂのうち前記中空部形成シート７が重なった領域以外の全面、すなわち前記積層体９１２の下側全面にわたって押し出される。
【０１９６】
次に、前記積層体９１１を構成する前記中間シート１０が前記第４接合層１４の下面１４ｂに接するように、前記積層体９１１を重ねると、前記積層体９１１と前記積層体９１２とが、前記第４接合層１４を介して接合されて積層体９１３が形成される。この積層体９１３が図５に示す中空体３０１を構成する。
【０１９７】
図２５ないし図２７は、図６に示す前記中空体４０１の製造工程を示す工程図であり、各製造工程における中空体４０１を図２と同様の方向から見た切断断面図である。
【０１９８】
図２５に示すように、まず前記中空体３０１の製造方法を示す図２１に示す工程と同じ工程によって、図２５に示す前記積層体９１０を製造する。
【０１９９】
図２５に示す工程では、前記第１のシート５が図１０に示すシート体８３０に該当し、前記第７接合層３１が図１０に示す前記接合層８３１に該当し、前記中間シート９が図１０に示す前記シート体８３２に該当する。また、前記第９接合層３３は、図１０に示す前記シート体８３２の上に、前記Ｔダイ８０４を用いて形成されることになる。
【０２００】
次に図２６に示すように、前記中空体３０１の製造方法を示す図２２に示す工程と同じ工程によって、図２６に示す前記積層体９１１を製造する。
【０２０１】
図２６に示す工程では、前記第２のシート６が図１０に示すシート体８３０に該当し、前記第８接合層３２が図１０に示す前記接合層８３１に該当し、前記中間シート１０が図１０に示す前記シート体８３２に該当する。
【０２０２】
次に図２７に示すように、前記中空部形成シート４０７Ａと４０７Ｂを、幅方向に所定間隔を空けて配置させた状態で、前記積層体９１０の下側に重ねる。このとき、図２３に示すように前記積層体９１０に形成された前記第９接合層３３の下面３３ｂが、前記中空部形成シート４０７Ａおよび４０７Ｂの上面４０７Ａａおよび４０７Ｂａと対向するように重ねる。このように、前記積層体９１０と前記中空部形成シート４０７Ａおよび４０７Ｂとを重ねたものが積層体９１４を構成する。
【０２０３】
次に図２８に示すように、前記積層体９１４の前記第９接合層３３の下面３３ｂの前記両側端部領域３３ｂ１、３３ｂ２に、前記中空部形成シート４０７Ａ、４０７Ｂの側方から前記中空部形成シート４０７Ａおよび４０７Ｂの下面４０７Ａｂ、４０７Ｂｂにかけて、前記Ｔダイ８０４から溶融された前記樹脂材料８２０を押し出して第４接合層１４を形成する。図２８に示すように、前記樹脂材料８２０は、前記中空部形成シート４０７Ａおよび４０７Ｂの下面４０７Ａｂおよび４０７Ｂｂの全面、および前記第９接合層３３の下面３３ｂのうち前記中空部形成シート４０７Ａおよび４０７Ｂが重なった領域以外の全面、すなわち前記積層体９１４の下側全面にわたって押し出される。
【０２０４】
次に、前記積層体９１１を構成する前記中間シート１０が前記第４接合層１４の下面１４ｂに接するように、前記積層体９１１を重ねると、前記積層体９１１と前記積層体９１４とが、前記第４接合層１４を介して接合されて積層体９１５が形成される。この積層体９１５が図５に示す中空体４０１を構成する。
【０２０５】
次に、図８と図９に示す構造の前記シート積層体５００によって構成される前記シート体６０１は、以下の工程で製造することができる。
【０２０６】
まず図２９に示すように、まず第１のシート５を、上面５ａが前記製造装置８００の前記搬送装置８０１ｂに接するように前記搬送装置８０１ｂ上に載置する。この状態で、前記第１のシート５の下面５ｂに、前記Ｔダイ８０４から溶融された前記樹脂材料８２０を押し出す。図２９に示すように、前記樹脂材料８２０は、前記第１のシート５の前記下面５ｂの全面にわたって押し出される。このとき、前記樹脂材料８２０は、前記Ｔダイ８０４に形成されたスリットからシート状に成型されながら、前記第１のシート５の前記下面５ｂに押し出される。このようにしてシート状に押し出された前記樹脂材料８２０が、図９に示す前記第７接合層３１を構成する。
【０２０７】
次に、前記第７接合層３１の下面３１ｂに接するように、中間シート９を重ねる。
図２９に示す工程では、前記第１のシート５が図１０に示すシート体８３０に該当し、前記第７接合層３１が図１０に示す前記接合層８３１に該当し、前記中間シート９が図１０に示す前記シート体８３２に該当する。
【０２０８】
このようにして積層された前記第１のシート５と、前記中間シート９とで積層体９１６が形成される。
【０２０９】
次に図３０に示すように、第２のシート６を、下面６ｂが前記製造装置８００の前記搬送装置８０１ｂに接するように前記搬送装置８０１ｂ上に載置する。この状態で、前記第２のシート６の上面６ａに、前記Ｔダイ８０４から溶融された前記樹脂材料８２０を押し出す。図２９に示すように、前記樹脂材料８２０は、前記第２のシート６の前記上面６ａの全面にわたって押し出される。このとき、前記樹脂材料８２０は、前記Ｔダイ８０４に形成されたスリットからシート状に成型されながら、前記第２のシート６の前記上面６ａに押し出される。このようにしてシート状に押し出された前記樹脂材料８２０が、図９に示す前記第８接合層３２を構成する。
【０２１０】
次に、前記第８接合層３２の上面３２ａに接するように、中間シート１０を重ねて接合する。
【０２１１】
このようにして積層された前記第２のシート６と、前記中間シート１０とで積層体９１７が形成される。
【０２１２】
図３０に示す工程では、前記第２のシート６が図１０に示すシート体８３０に該当し、前記第８接合層３２が図１０に示す前記接合層８３１に該当し、前記中間シート１０が図１０に示す前記シート体８３２に該当する。
【０２１３】
次に図３１に示すように、前記積層体９１６を構成する前記中間シート９の前記下面９ｂに、前記Ｔダイ８０４から溶融された前記樹脂材料８２０を押し出して第４接合層１４を形成する。図３１に示すように、前記樹脂材料８２０は、前記中間シート９の下面９ｂの全面、すなわち前記積層体９１６の下側全面にわたって押し出される。
【０２１４】
次に、前記第４接合層１４の下面１４ｂに接するように、折り曲げシート５０３を重ねると、前記積層体９１６と前記折り曲げシート５０３とが、前記第４接合層１４を介して接合されて積層体９１８が形成される。このとき、図９で説明したように、前記折り曲げシート５０３の幅寸法Ｗ７よりも前記中間シート９の幅寸法Ｗ３の方が大きいため（図９を参照）、図３１に示すように、前記中間シート９の前記下面９ｂの側端部領域９ｂ１には、前記折り曲げシート５０３が対向しない。また、前記折り曲げシート５０３の前記側端部領域９ｂ１側の側方には、前記第４接合層１４が形成される。
【０２１５】
次に図３２に示すように、前記積層体９１８を構成する前記第４接合層１４の下面１４ｂおよび前記折り曲げシート５０３の折り曲げ下面５０３ｂの表面に、前記Ｔダイ８０４から溶融された前記樹脂材料８２０を押し出して第８接合層３２を形成する。図３２に示すように、前記樹脂材料８２０は、前記第４接合層１４の下面１４ｂおよび前記折り曲げシート５０３の折り曲げ下面５０３ｂの表面、すなわち前記積層体９１８の下側全面にわたって押し出される。
【０２１６】
次に、前記第８接合層３２の上面３２ａに接するように、前記積層体９１７を重ねると、前記積層体９１７と前記積層体９１８とが、前記第８接合層３２を介して接合されて積層体９１９が形成される。この積層体９１５が図５に示すシート積層体５００を構成する。
【０２１７】
図２９ないし３２に示す工程によって製造されたシート積層体５００では、前記中間シート９と前記折り曲げシート５０３の前記折り曲げ上面５０３ａとがシート積層体５０４を構成し、前記中間シート１０と前記折り曲げ下面５０３ｂとがシート積層体５０５を構成する。
【０２１８】
前記シート積層体５００では、シート積層体５０４を図３２に示す上方向（図示Ｚ１方向）に向かって開くとともに、シート積層体５０５を図示下方向（図示Ｚ２方向）に向かって開くと、前記図８に示す前記シート体６０１が製造される。
【０２１９】
本発明のシート体６０１の製造方法では、前記Ｔダイ８０４によって前記各シート５、６、７、８、９、１０、あるいは前記折り曲げシート５０３を積層し、これを開くだけで、前記中空体１、１０１、２０１、３０１、あるいは前記シート積層体５００の約２倍の大きさの幅寸法を有するシート体６０１を製造することができる。
【０２２０】
したがって、低廉な製造コストで製造することができるとともに、製造スペースの確保を容易にすることができる。
【０２２１】
なお、前記中空体１、１０１、２０１、３０１、４０１、およびシート体６０１を形成するためのシート積層体５００の製造方法として、各シート５、６、７、８、２０７、２０８、４０７Ａ、４０７Ｂ、５０３の接合を、溶融押し出しラミネート法によって接合するものを例として説明したが、本発明はこれに限定されるものではなく、例えば熱溶着法やホットメルト接着剤などの接着剤によって接合しても良い。
【図面の簡単な説明】
【０２２２】
【図１】本発明の中空体の第１実施形態を示す斜視図、
【図２】図１に示す中空体のＩＩ−ＩＩ線での切断断面図、
【図３】本発明の第２実施形態の中空体を幅方向に切断した切断断面、
【図４】本発明の第３実施形態の中空体を幅方向に切断した切断断面、
【図５】参考例を幅方向に切断した切断断面、
【図６】本発明の第４実施形態を示す斜視図、
【図７】図６に示す中空体のＶＩＩ−ＶＩＩ線での切断断面図、
【図８】参考例としてのシート体を示す斜視図、
【図９】図８に示すシート体を形成するためのシート積層体を幅方向に切断した切断断面図、
【図１０】図１に示す中空体を製造するための製造装置、および製造工程を示す一工程図、
【図１１】図１に示す中空体の製造工程を示す工程図、
【図１２】図１１に示す工程の次の工程を示す工程図、
【図１３】図１２に示す工程の次の工程を示す工程図、
【図１４】図１３に示す工程の次の工程を示す工程図、
【図１５】図３に示す中空体の製造工程を示す工程図、
【図１６】図１５に示す工程の次の工程を示す工程図、
【図１７】図１６に示す工程の次の工程を示す工程図、
【図１８】図１７に示す工程の次の工程を示す工程図、
【図１９】図４に示す中空体の製造工程を示す工程図、
【図２０】図１９に示す工程の次の工程を示す工程図、
【図２１】図５に示す中空体の製造工程を示す工程図、
【図２２】図２１に示す工程の次の工程を示す工程図、
【図２３】図２２に示す工程の次の工程を示す工程図、
【図２４】図２３に示す工程の次の工程を示す工程図、
【図２５】図７に示す中空体の製造工程を示す工程図、
【図２６】図２５に示す工程の次の工程を示す工程図、
【図２７】図２６に示す工程の次の工程を示す工程図、
【図２８】図２７に示す工程の次の工程を示す工程図、
【図２９】図９に示すシート積層体の製造工程を示す工程図、
【図３０】図２９に示す工程の次の工程を示す工程図、
【図３１】図３０に示す工程の次の工程を示す工程図、
【図３２】図３１に示す工程の次の工程を示す工程図、
【符号の説明】
【０２２３】
１，１０１，２０１，３０１，４０１ 中空体
２ 中空部
７、８、２０７，２０８、４０７Ａ、４０７Ｂ 中空部形成シート
９，１０ 中間シート
１１ 第１接合層
１２ 第２接合層
１３ 第３接合層
１４ 第４接合層
１５ 第５接合層
３０ 第６接合層
３１ 第７接合層
３２ 第８接合層
３３ 第９接合層
３４ 第１０接合層
５００ シート積層体
５０３ 折り曲げシート
５０４，５０５ シート積層体
６０１ シート体
６０２ 下層シート
６０３ 上層シート
６０４ 第１のシート半体
６０４ｅ，６０５ｅ 内側端領域
６０５ 第２のシート半体
８００ 製造装置
８０４ Ｔダイ
９０１，９０２，９０３，９０４，９０５，９０６，９０７，９０８，９０９，９１０，９１１，９１２，９１３，９１４，９１５，９１６，９１７，９１８，９１９ 積層体
【図１】
0004847964.tif 000002
【図２】
0004847964.tif 000003
【図３】
0004847964.tif 000004
【図４】
0004847964.tif 000005
【図５】
0004847964.tif 000006
【図６】
0004847964.tif 000007
【図７】
0004847964.tif 000008
【図８】
0004847964.tif 000009
【図９】
0004847964.tif 000010
【図１０】
0004847964.tif 000011
【図１１】
0004847964.tif 000012
【図１２】
0004847964.tif 000013
【図１３】
0004847964.tif 000014
【図１４】
0004847964.tif 000015
【図１５】
0004847964.tif 000016
【図１６】
0004847964.tif 000017
【図１７】
0004847964.tif 000018
【図１８】
0004847964.tif 000019
【図１９】
0004847964.tif 000020
【図２０】
0004847964.tif 000021
【図２１】
0004847964.tif 000022
【図２２】
0004847964.tif 000023
【図２３】
0004847964.tif 000024
【図２４】
0004847964.tif 000025
【図２５】
0004847964.tif 000026
【図２６】
0004847964.tif 000027
【図２７】
0004847964.tif 000028
【図２８】
0004847964.tif 000029
【図２９】
0004847964.tif 000030
【図３０】
0004847964.tif 000031
【図３１】
0004847964.tif 000032
【図３２】
0004847964.tif 000033